(57)【特許請求の範囲】
【請求項１】
主コンベアとその上方に対向して配置された押圧手段とからなる押圧搬送手段を、搬送方向に沿って２つ以上配置し、前記主コンベアと前記押圧手段との間で軟質粗大ごみを上下から挟み、
隣接する前記押圧搬送手段のうち、一方を、他方に対して搬送方向を逆にするか、又は固定して、隣接する前記押圧搬送手段の間隙で、前記軟質粗大ごみを引っ張り、
高圧水噴射装置によって、前記軟質粗大ごみが引っ張られて緊張状態になっている部分に高圧水を噴射して、前記軟質粗大ごみを切断する軟質粗大ごみの切断方法であって、
前記押圧搬送手段を構成する、少なくとも前記主コンベアが、幅方向に分かれた複数の並列コンベアからなり、
前記押圧搬送手段を３つ以上設けて、隣接する前記押圧搬送手段の間隙を２つ以上設けると共に、前記押圧搬送手段の間隙のラインが異なる形状をなすようにし、
前記軟質粗大ごみを互いに交差する２つ以上のラインで幅方向に切断することを特徴とする軟質粗大ごみの切断方法。
【請求項２】
前記押圧手段は、前記主コンベアに連動して同じ方向に搬送する補助コンベアからなる請求項１記載の軟質粗大ごみの切断方法。
【請求項３】
前記押圧搬送手段によって、前記軟質粗大ごみを前後に移動させて、前記軟質粗大ごみを互いに交差する２つ以上のラインで切断する請求項１又は２に記載の軟質粗大ごみの切断方法。
【請求項４】
前記複数の並列コンベアの端部の配列ラインが曲折ラインをなすようにし、
前記曲折ラインに沿って高圧水を噴射し、前記軟質粗大ごみを切断する請求項１〜３のいずれか１項に記載の軟質粗大ごみの切断方法。
【請求項５】
搬送方向に沿って２つ以上配置された、主コンベアとその上方に対向して配置された押圧手段とからなる押圧搬送手段と、
隣接する前記押圧搬送手段の間で、軟質粗大ごみを切断する高圧水噴射装置とを備えた軟質粗大ごみの切断装置であって、
隣接する前記押圧搬送手段の一方を、他方に対して搬送方向を逆にするか、又は固定して、前記隣接する押圧搬送手段の間隙で、前記軟質粗大ごみを引っ張り、
前記高圧水噴射装置によって、前記軟質粗大ごみが引っ張られて緊張状態になっている部分に高圧水を噴射して、前記軟質粗大ごみを切断するように構成されると共に、
前記押圧搬送手段を構成する、少なくとも前記主コンベアが、幅方向に分かれた複数の並列コンベアからなり、
搬送方向に沿って前記押圧搬送手段が３つ以上配置され、隣接する前記押圧搬送手段の間隙が２つ以上設けられると共に、前記押圧搬送手段の間隙のラインが異なる形状をなしており、
前記軟質粗大ごみを互いに交差する２つ以上のラインで幅方向に切断できるように構成されていることを特徴とする軟質粗大ごみの切断装置。
【発明の詳細な説明】
【技術分野】
【０００１】
本発明は、高圧水を噴射して軟質粗大ごみを切断する方法、及び該軟質粗大ごみの切断装置に関する。
【背景技術】
【０００２】
粗大ごみは、焼却廃棄や埋め立て廃棄に際して、嵩を減らし、取り扱い易くするため、ごみ切断機によって切断され、次いで破砕機によって細かくされて廃棄される。ごみ切断機としては、油圧駆動の刃で押切る押切方式の切断機、可動刃と固定刃で挟み切るせん断方式の切断機が広く用いられている。一方、金属製の刃を用いない切断方式としては、高圧水を噴射して切断する、下記の特許文献１の方法が知られている。
【先行技術文献】
【特許文献】
【０００３】
【特許文献１】実公平６−３７９２０号公報
【発明の概要】
【発明が解決しようとする課題】
【０００４】
金属製の刃を用いる押切方式やせん断方式の切断機では、切断しようとする粗大ごみが、布団、カーペット、マット、畳、生木等の軟質粗大ごみの場合は、軟質のごみが刃の隙間に挟まってしまい、切断できないという問題がある。
【０００５】
高圧水を噴射して切断する方法であっても、全く問題がないわけではない。特許文献１は、切断可能なごみの例として畳、丸めたカーペット、生木等を挙げている。しかしながら、例えば布団、マット、クッション材等のように更に軟質の粗大ごみについては、確実に切断するための方策が示されていない。薄くて軽い物に水流を打ち付けても、激しくばたつくために、衝撃力が一箇所に集中せず、切断が難しい。また、軟らかい物に水流を打ち付けても、圧密によって衝撃力を弱めてしまうために、切断に要する臨界応力に達せず、切断が難しい。
【０００６】
よって、本発明の目的は、高圧水を噴射することによって軟質粗大ごみを確実に切断できるようにした軟質粗大ごみの切断方法、及び該軟質粗大ごみの切断装置を提供することにある。
【課題を解決するための手段】
【０００７】
上記目的を達成するため、本発明の軟質粗大ごみの切断方法は、主コンベアとその上方に対向して配置された押圧手段とからなる押圧搬送手段を、搬送方向に沿って２つ以上配置し、前記主コンベアと前記押圧手段との間で軟質粗大ごみを上下から挟み、隣接する前記押圧搬送手段のうち、一方を、他方に対して搬送方向を逆にするか、又は固定して、隣接する前記押圧搬送手段の間隙で、前記軟質粗大ごみを引っ張り、高圧水噴射装置によって、前記軟質粗大ごみが引っ張られて緊張状態になっている部分に高圧水を噴射して、前記軟質粗大ごみを切断することを特徴とする。
【０００８】
本発明によれば、軟質粗大ごみであっても、切断部がコンベアによって引っ張られて緊張状態になっているため、水流を打ち付けても、ばたつきや圧密が起こらず、水流の衝撃力によって確実に切断することができる。
【０００９】
本発明の軟質粗大ごみの切断方法において、前記押圧手段は、前記主コンベアに連動して同じ方向に搬送する補助コンベアからなることが好ましい。
【００１０】
上記態様によれば、押圧手段を、主コンベアに連動して同じ方向に搬送する補助コンベアで構成することにより、軟質粗大ごみをより確実に搬送し、あるいは引っ張ることができる。
【００１１】
本発明の軟質粗大ごみの切断方法において、前記押圧搬送手段を構成する、少なくとも前記主コンベアが、幅方向に分かれた複数の並列コンベアからなり、前記押圧搬送手段を３つ以上設けて、隣接する前記押圧搬送手段の間隙を２つ以上設けると共に、前記押圧搬送手段の間隙のラインが異なる形状をなすようにし、前記軟質粗大ごみを互いに交差する２つ以上のラインで幅方向に切断することが好ましい。
【００１２】
上記方法によれば、軟質粗大ごみを細かく切断できるので、廃棄処理が容易になる。
【００１３】
本発明の軟質粗大ごみの切断方法において、前記押圧搬送手段によって、前記軟質粗大ごみを前後に移動させて、前記軟質粗大ごみを互いに交差する２つ以上のラインで切断することが好ましい。
【００１４】
上記方法によれば、軟質粗大ごみを前後に移動させて切断することにより、粗大ごみを互いに交差する２つ以上のラインで切断し、幅方向に複数に分断しやすくすることができる。
【００１５】
本発明の軟質粗大ごみの切断方法において、前記複数の並列コンベアの端部の配列ラインが曲折ラインをなすようにし、前記曲折ラインに沿って高圧水を噴射し、前記軟質粗大ごみを切断することが好ましい。
【００１６】
上記方法によれば、軟質粗大ごみを曲折ラインに沿って切ることができるので、互いに交差する２つ以上のラインで幅方向に切断したとき、粗大ごみをより細かく切断することができる。
【００１７】
本発明の軟質粗大ごみの切断装置は、搬送方向に沿って２つ以上配置された、主コンベアとその上方に対向して配置された押圧手段とからなる押圧搬送手段と、隣接する前記押圧搬送手段の間で、前記軟質粗大ごみを切断する高圧水噴射装置とを備えた軟質粗大ごみの切断装置であって、隣接する前記押圧搬送手段の一方を、他方に対して搬送方向を逆にするか、又は固定して、前記隣接する押圧搬送手段の間隙で、前記軟質粗大ごみを引っ張り、前記高圧水噴射装置によって、前記軟質粗大ごみが引っ張られて緊張状態になっている部分に高圧水を噴射して、前記軟質粗大ごみを切断するように構成されていることを特徴とする。
【００１８】
上記構成によれば、主コンベアと押圧手段とによって軟質粗大ごみを上下から挟み、隣接する押圧搬送手段の一方を、他方に対して搬送方向を逆にするか、又は固定して、隣接する押圧搬送手段の間隙で、軟質粗大ごみを引っ張り、高圧水噴射装置によって、軟質粗大ごみが引っ張られて緊張状態になっている部分に高圧水を噴射することができる。切断部が引っ張られて緊張状態になっていると、水流を打ち付けても、ばたつきや圧密が起こらず、水流の衝撃力によって確実に切断することができる。
【００１９】
本発明の軟質粗大ごみの切断装置において、前記押圧手段は、前記主コンベアに連動して同じ方向に搬送する補助コンベアからなることが好ましい。
【００２０】
上記構成によれば、押圧手段を、主コンベアに連動して同じ方向に搬送する補助コンベアで構成することにより、軟質粗大ごみをより確実に搬送し、あるいは引っ張ることができる。
【００２１】
本発明の軟質粗大ごみの切断装置において、前記主コンベア及び／又は前記押圧手段が昇降して前記粗大ごみを挟むように構成されていることが好ましい。
【００２２】
上記構成によれば、軟質粗大ごみの厚さや材質に応じて、適切な押圧力となるように、主コンベアと押圧手段との間隙を調整することができる。
【００２３】
本発明の軟質粗大ごみの切断装置において、前記押圧搬送手段を構成する、少なくとも前記主コンベアが、幅方向に分かれた複数の並列コンベアからなり、搬送方向に沿って前記押圧搬送手段が３つ以上配置され、隣接する前記押圧搬送手段の間隙が２つ以上設けられると共に、前記押圧搬送手段の間隙のラインが異なる形状をなしており、前記軟質粗大ごみを互いに交差する２つ以上のラインで幅方向に切断できるように構成されていることが好ましい。
【００２４】
本発明の軟質粗大ごみの切断装置において、前記押圧搬送手段によって、前記軟質粗大ごみを前後に移動させて、前記軟質粗大ごみを互いに交差する２つ以上のラインで切断するように構成されていることが好ましい。
【００２５】
上記構成によれば、軟質粗大ごみを前後に移動させて切断することにより、隣接する押圧搬送手段の間隙が離れていても、粗大ごみを互いに交差する２つ以上のラインで切断することができる。
【００２６】
本発明の軟質粗大ごみの切断装置において、前記複数の並列コンベアの端部の配列ラインが曲折ラインをなし、前記高圧水噴射装置が前記曲折ラインに沿って高圧水を噴射するように構成されていることが好ましい。
【００２７】
上記構成によれば、軟質粗大ごみを曲折ラインに沿って切ることができるので、互いに交差する２つ以上のラインで幅方向に切断したとき、粗大ごみをより細かく切断することができる。
【発明の効果】
【００２８】
本発明によれば、軟質粗大ごみであっても、切断部がコンベアによって引っ張られて緊張状態になっているため、水流を打ち付けても、ばたつきや圧密が起こらず、水流の衝撃力によって確実に切断することができる。
【図面の簡単な説明】
【００２９】
【図１】本発明の軟質粗大ごみ切断装置に係る一実施形態を示す概略説明図である。
【図２】軟質粗大ごみの押圧搬送方法の一態様を示す説明図である。
【図３】軟質粗大ごみの押圧搬送方法の他の態様を示す説明図である。
【図４】軟質粗大ごみの切断手順の一例を示す説明図である。
【図５】本発明の軟質粗大ごみ切断装置に係る他の実施形態を示す概略説明図である。
【図６】軟質粗大ごみの切断手順の他の例を示す説明図である。
【図７】軟質粗大ごみの切断手順の更に他の例を示す説明図である。
【発明を実施するための形態】
【００３０】
以下、本発明の軟質粗大ごみの切断方法、及び該切断装置について、図面を用いて詳細に説明する。
［実施例１］
図１には、本発明の軟質粗大ごみ切断装置の一実施形態が、平面図（ａ）と、側面図（ｂ）によって示されている。
【００３１】
軟質粗大ごみ切断装置１００は、投入手段１０と、押圧搬送手段２０と、高圧水噴射手段３０と、によって構成されている。
【００３２】
投入手段１０は、軟質粗大ごみＧを投入するための投入台１１と投入コンベア１２とを備え、投入台１１に載せられた軟質粗大ごみＧは、投入コンベア１２によって、隣接する押圧搬送手段２０へ移動させることができる。投入コンベア１２の態様は、特に限定されず、例えば、ベルトコンベア、ローラーコンベア等を用いることができる。また、投入手段１０は、図示しないリフトやクレーン、他の装置から接続されるコンベアを備えてもよい。
【００３３】
押圧搬送手段２０は、投入台１１から搬送方向に向かって直列配置された主コンベア（搬送手段）２１ａ、２２ａ、２３ａと、主コンベアの上方にそれぞれ対向配置された補助コンベア（押圧手段）２１ｂ、２２ｂ、２３ｂと、を備えている。主コンベア２１ａ、２２ａ、２３ａは、投入台１１と同じ高さにされており、軟質粗大ごみＧを投入台１１から前方（紙面左方向）へ搬送することができる。また、補助コンベア２１ｂ、２２ｂ、２３ｂは、主コンベアに連動して、軟質粗大ごみＧを主コンベアと同じ方向へ搬送することができ、且つ図示しない上下移動機構によって軟質粗大ごみＧを上から押圧することができる。押圧力は、主コンベアと補助コンベアとの間の間隔によって調節することができる。
【００３４】
図１（ａ）の平面図に示されるように、主コンベア２１ａ、２２ａ、２３ａは、幅方向に分かれた複数の並列コンベアで構成されている。並列コンベアは、並列コンベアの端部の配列ラインが曲折ラインをなすように、各並列コンベアのプーリーが配置されている。実施例１では、並列コンベアの端部の配列ライン、すなわち主コンベア２１ａと２２ａとの間隙Ｓ１は、アルファベットの「Ｗ」に似た曲折ラインをなしている。また、主コンベア２２ａと２３ａとの間隙Ｓ２は、間隙Ｓ１のなす曲折ラインに対して逆向きの「Ｗ」となる、曲折ラインをなしている。軟質粗大ごみＧを切断する際は、間隙Ｓ１、Ｓ２のなすラインに沿って高圧水を噴射して切断することができる。
【００３５】
補助コンベア２１ｂ、２２ｂ、２３ｂも、高圧水の通過を妨げないように離間して配置されている。そして、主コンベアの端部が曲折ラインをなしていても、主コンベアと協働して、軟質粗大ごみＧを上下から挟めるように、主コンベアのプーリーと、補助コンベアのプーリーは、同じ位置に配置されていることが好ましい。このように配置することで、軟質粗大ごみＧを確実に押圧し、更に後述する方法によって軟質粗大ごみＧを引張り、切断部分を緊張状態にすることができる。
【００３６】
一方、高圧水噴射手段３０の一実施形態において、高圧水を噴射するノズル３１と、水受けタンク３２と、高圧ポンプ３３とを備えている。ノズル３１は、図示しないノズル移動機構によって間隙Ｓ１、Ｓ２のなすラインに沿って移動し、軟質粗大ごみＧに高圧水を噴射して、軟質粗大ごみＧを切断することができる。ノズル３１から噴射された高圧水は、間隙Ｓ１、Ｓ２を通過して水受けタンク３２に集められる。高圧ポンプ３３は、水受けタンク３２から取水し、ノズル３１に高圧水を供給することができる。高圧水は、飛散によって失われる分を適宜補給し、循環再利用される。なお、ノズル３１は、１本に限定されず、数か所を同時に切断できるように、複数を備えることができる。また、高圧水流の飛散や水受けタンク３２の損傷を避けるため、間隙Ｓ１、Ｓ２の下方に、金属メッシュなどの噴流減衰部を備えることができる。
【００３７】
また、高圧水噴射手段３０の他の実施形態おいて、例えば噴射量が少ない場合は、水受けタンクを設けず、高圧ポンプ３３に直接給水し、ノズル３１から高圧水を噴射し、噴射した水をそのまま排水してもよい。
【００３８】
以下、軟質粗大ごみ切断装置１００による２通りの押圧搬送方法について、図面にしたがって、更に具体的に説明する。
【００３９】
図２には、搬送ステップ（ａ）、押圧ステップ（ｂ）、引張ステップ（ｃ）の３ステップから構成される、軟質粗大ごみ切断装置１００の押圧搬送方法が示されている。搬送ステップ（ａ）において、主コンベア２１ａ、２２ａ、２３ａと、補助コンベア２１ｂ、２２ｂ、２３ｂとの隙間は、軟質粗大ごみＧの厚さよりも広く離間されている。このように主コンベアと補助コンベアが離間された状態で、主コンベア２１ａのプーリー２１ａ１及び２１ａ２を駆動プーリー２１ａ３によって反時計回りに回転させて主コンベア２１ａ上の軟質粗大ごみＧを前方(紙面左方向)へ搬送する。そして、主コンベア２２ａのプーリー２２ａ１及び２２ａ２を駆動プーリー２２ａ３によって反時計回りに回転させて、軟質粗大ごみＧを間隙Ｓ１を越えて更に前方へ移動させるが、切断したい箇所が間隙Ｓ１上に整合したところで搬送を止める。続く押圧ステップ（ｂ）において、補助コンベア２１ｂ、２２ｂ、２３ｂを下降させ、軟質粗大ごみＧを主コンベアと補助コンベアで挟んで押圧する。続く引張りステップ（ｃ）では、主コンベア２１ａのプーリー２１ａ１及び２１ａ２を駆動プーリー２１ａ３によって時計回りに回転させ、補助コンベア２１ｂのプーリー２１ｂ１及び２１ｂ２を駆動プーリー２１ｂ３によって反時計回りに回転させて、間隙Ｓ１を境とする軟質粗大ごみＧの後方部分を後方へ引っ張る。これと同時に、主コンベア２２ａのプーリー２２ａ１及び２２ａ２を駆動プーリー２２ａ３によって反時計回りに回転させ、補助コンベア２２ｂのプーリー２２ｂ１及び２２ｂ２を駆動プーリー２２ｂ３によって、時計回りに回転させて、間隙Ｓ１を境とする軟質粗大ごみＧの前方部分を前方へ引っ張る。このようにして、軟質粗大ごみＧを前後に引っ張って緊張状態にし、ノズル３１から高圧水を噴射して軟質粗大ごみＧを切断することができる。この方法によれば、軟質粗大ごみＧの材質や厚さに応じて、押圧力（主コンベアと補助コンベアとの間隔）を調節することができる。
【００４０】
なお、上記の方法では補助コンベアは搬送には係っていないので、補助コンベアを例えば軟質粗大ごみの上面を押圧する平板のようなものに代えてもよい。ただし、軟質粗大ごみを引っ張るために、主コンベアは上記のように動かすことが必要である。
【００４１】
図３には、押圧搬送ステップ（ａ）、引張ステップ（ｂ）の２ステップから構成される、軟質粗大ごみ切断装置１００の押圧搬送方法が示されている。押圧搬送ステップ（ａ）において、主コンベア２１ａ、２２ａ、２３ａと、補助コンベア２１ｂ、２２ｂ、２３ｂとの隙間は、軟質粗大ごみＧの厚さよりも狭くされている。この状態で、主コンベア２１ａのプーリー２１ａ１及び２１ａ２を反時計回りに回転させ、補助コンベア２１ｂのプーリー２１ｂ１及び２１ｂ２を時計回りに回転させ、主コンベアと補助コンベアとの隙間に軟質粗大ごみＧを挿入して、押圧しながら前方へ搬送する。そして、主コンベア２２ａのプーリー２２ａ１及び２２ａ２を反時計回りに回転させ、補助コンベア２１ｂのプーリー２１ｂ１及び２１ｂ２を時計回りに回転させて、軟質粗大ごみＧを間隙Ｓ１を越えて更に前方へ移動させるが、切断したい箇所が間隙Ｓ１上に整合したところで搬送を止める。引張りステップ（ｂ）では、主コンベア２１ａのプーリー２１ａ１及び２１ａ２を時計回りに回転させ、補助コンベア２１ｂのプーリー２１ｂ１及び２１ｂ２を反時計回りに回転させて、間隙Ｓ１を境とする軟質粗大ごみＧの後方部分を後方へ引っ張る。これと同時に、主コンベア２２ａのプーリー２２ａ１及び２２ａ２を反時計回りに回転させ、補助コンベア２２ｂのプーリー２２ｂ１及び２２ｂ２を時計回りに回転させて、間隙Ｓ１を境とする軟質粗大ごみＧの前方部分を前方へ引っ張る。このようにして、軟質粗大ごみＧを前後に引っ張って緊張状態にし、ノズル３１から高圧水を噴射して軟質粗大ごみＧを切断することができる。この方法は、厚さの揃った粗大ごみを連続処理する場合に向いており、押圧手段を毎回上下させる手間を省くことができる。
【００４２】
次に、軟質粗大ごみ切断装置１００を用いて、軟質粗大ごみＧを細かく切断していく手順について具体的に説明する。図４は、図面を見易くするために、ごみ切断装置の上方から、補助コンベア２１ｂ、２２ｂ、２３ｂを透視して、軟質粗大ごみＧの表面を見ているように描かれている。図４（ａ）には、軟質粗大ごみＧを切断する前の、搬送途中の態様が示されている。そして、同図（ｂ）には、軟質粗大ごみＧを最初に切断する時の態様が示されている。軟質粗大ごみＧに描かれている破線は、主コンベア２１ａと２２ａとに挟まれた間隙Ｓ１のなすラインを表している。ステップ（ｂ）では、間隙Ｓ１のなすラインに沿って軟質粗大ごみＧを切断し、断片Ｄ１、Ｄ２を切り落とす。その後、軟質粗大ごみＧを所定の距離だけ前進させて、同図（ｃ）の位置に整合させる。軟質粗大ごみＧに描かれている破線は、主コンベア２２ａと２３ａとに挟まれた間隙Ｓ２のなすラインをあらわしている。ステップ（ｃ）では、間隙Ｓ２のラインに沿って軟質粗大ごみＧを切断し、断片Ｄ３、Ｄ４、Ｄ５を切り落とす。その後、軟質粗大ごみＧを所定の距離だけ後退させて、同図（ｄ）の位置に整合させる。軟質粗大ごみＧの左端に描かれている破線は、間隙Ｓ１のラインを表している。ステップ（ｄ）では、間隙Ｓ１のラインに沿って軟質粗大ごみＧを切断し、断片Ｄ６、Ｄ７を切り落とす。その後、軟質粗大ごみＧを所定の距離だけ前進させて、同図（ｅ）の位置に整合させる。軟質粗大ごみＧに描かれている破線は、間隙Ｓ２のラインを表しているステップ（ｅ）では、間隙Ｓ２のラインに沿って軟質粗大ごみＧを切断し、断片Ｄ８、Ｄ９、Ｄ１０を切り落とす。その後、軟質粗大ごみＧを所定の距離だけ後退させて、同図（ｆ）の位置に整合させる。軟質粗大ごみＧに描かれている破線は、間隙Ｓ１のラインを表している。ステップ（ｆ）では、間隙Ｓ１のラインに沿って切断し、断片Ｄ１１、Ｄ１２を切り落とす。ステップ（ｆ）以降、軟質粗大ごみＧを前後に移動させて、間隙Ｓ１又はＳ２のラインに沿った切断を交互に繰り返し、同じ形状の断片を次々と切り落としていくことができる。
【００４３】
このように、粗大ごみを細かく切るために、搬送方向に沿って押圧搬送手段が３つ以上配置され、隣接する前記押圧搬送手段の間隙が２つ以上設けられていると共に、前記押圧搬送手段の間隙のなす切断ラインが異なる形状をなしており、形状の異なる複数の曲折した切断ラインが、互いに交差するように切断することが好ましく、切断ラインを交差させて小さく切るためには、粗大ごみを前後に移動させて切断することが好ましい。
【００４４】
［実施例２］
図５には、本発明の軟質粗大ごみ切断装置に係る他の実施形態が示されている。軟質粗大ごみ切断装置１０１では、粗大ごみを更に細かく切るために、押圧搬送コンベア間の間隙Ｓ３、Ｓ４のなすラインがより多く曲折するように、並列コンベアのプーリーは配置されている。図６に示すように、切断ラインの曲折を増やしているので、実施例１よりもより細かく切ることができる。
【００４５】
［実施例３］
図７には、本発明の軟質粗大ごみ切断装置に係るさらに他の実施形態が示されている。軟質粗大ごみ切断装置１０１では、押圧搬送コンベア間の間隙Ｓ５及びＳ６なす切断ラインが直線で構成されている。切断ラインを直線で構成しても、軟質粗大ごみＧを前後に移動させて、間隙Ｓ５又はＳ６に沿った切断を交互に繰り返すことにより、同じ形状の断片を次々と切り落としていくことができる。
【符号の説明】
【００４６】
１０：投入手段
１１：投入台
１２：投入コンベア
２０：押圧搬送手段
２１ａ、２２ａ、２３ａ：主コンベア（搬送手段）
２１ｂ、２２ｂ、２３ｂ：補助コンベア（押圧手段）
２１ａ１、２１ａ２、２２ａ１、２２ａ２、２３ａ１、２３ａ２、２１ｂ１、２１ｂ２、２２ｂ１、２２ｂ２、２３ｂ１、２３ｂ２：プーリー
２１ａ３、２２ａ３、２３ａ３、２１ｂ３、２２ｂ３、２３ｂ３：駆動プーリー
３０：高圧水噴射手段
３１：ノズル
３２：水受けタンク
３３：高圧ポンプ
１００、１０１、１０２：軟質粗大ごみ切断装置
Ｇ：軟質粗大ごみ
Ｄ１〜Ｄ３４：軟質粗大ごみの断片
Ｓ１〜Ｓ６：コンベア間の間隙
【図１】
0006434827.tif 000002
【図２】
0006434827.tif 000003
【図３】
0006434827.tif 000004
【図４】
0006434827.tif 000005
【図５】
0006434827.tif 000006
【図６】
0006434827.tif 000007
【図７】
0006434827.tif 000008